(57)【要約】【課題】収容された物品の保護を比較的簡易に図ることができるトレーを提供する。【解決手段】トレー１は、略矩形板状の底壁部２と、底壁部２の各側辺部から上方に延びる側壁部３、４と、側壁部３、４の上辺部から外方に延びる上フランジ部５と、上フランジ部５の先端部から下方に延びるスカート部９とを備えている。また、トレー１は、トレー１同士をトレー１の開口側を向かい合せにして上下に重ねた場合に、トレー１同士の間に隙間を形成することなく、トレー１同士を嵌合可能とする嵌合手段を備えている。上フランジ部５は、一般部６と、一般部６よりも側壁部３、４からの延出長が短く構成される許容部７とを備えている。また、上フランジ部５の上面よりも下方位置において、スカート部９から外方に突出する突部１４が設けられている。【選択図】      図１
2018131239.tif 000002
【特許請求の範囲】
【請求項１】
略矩形板状の底壁部と、前記底壁部の各側辺部から上方に延びる側壁部と、前記側壁部の上辺部から外方に延びる上フランジ部とを備え、上方に開口するトレーにおいて、
トレー同士をトレーの開口側を向かい合せにして上下に重ねた場合に、トレー同士の間に隙間を形成することなく、トレー同士を嵌合可能とする嵌合手段を備え、
前記側壁部のうち少なくとも相対する一対の前記側壁部に対応して、当該側壁部から延びる前記上フランジ部は、一般部と、前記一般部よりも前記側壁部からの延出長が短く構成される許容部とを備え、
前記上フランジ部のうち少なくとも前記許容部から下方に延びるスカート部と、
前記上フランジ部の上面よりも下方位置において、前記スカート部から外方に突出する突部とを備えていることを特徴とするトレー。
【請求項２】
下側のトレーの前記側壁部の内面と、上側のトレーの前記側壁部の外面とを対向させるようにして、トレー同士を上下に重ねることが可能に構成され、
前記スカート部は、スカート一般部と、前記スカート一般部よりも前記上フランジ部からの延出長が短く構成されるスカート許容部とを備えていることを特徴とする請求項１に記載のトレー。
【請求項３】
前記スカート許容部のうち前記スカート一般部との連接部位は、前記上フランジ部からの延出長が徐々に変化しているスカート徐変部となっており、
前記突部は、前記スカート徐変部を含む前記スカート許容部の下辺部全体に沿って設けられていることを特徴とする請求項２に記載のトレー。
【請求項４】
前記嵌合手段は、前記上フランジ部においてトレーの所定の隅部に対応して設けられた嵌合凸部と、トレー同士を向かい合わせで重ねた場合に、前記嵌合凸部を挿入可能な嵌合凹部とを備え、
少なくとも前記嵌合凸部、及び、前記嵌合凹部が設けられた範囲の前記上フランジ部と、前記スカート部との連結部において、面取り部が設けられていることを特徴とする請求項１乃至３のいずれかに記載のトレー。
【請求項５】
前記嵌合凸部は、トレーの隅部のうち所定の隅部と、当該所定の隅部の対角に位置する隅部とに対応して設けられ、
前記嵌合凹部は、前記上フランジ部において前記嵌合凸部が設けられていないトレーの隅部に対応して設けられ、
前記嵌合凸部は、所定の前記側壁部の上辺部から外方に延びる前記上フランジ部と、当該上フランジ部に対して略直交して連結される前記上フランジ部とに跨るようにして平面視略Ｌ字状をなし、前記嵌合凸部の両端部には傾斜部が設けられていることを特徴とする請求項４に記載のトレー。
【請求項６】
物品を収容した下側のトレーに対し、上側のトレーを向かい合せ、かつ、傾けた姿勢で設置し、前記上フランジ部の所定の一辺同士を当接させる場合に、当該上フランジ部の所定の一辺の長手方向全体において、上側のトレーと、下側のトレーとが略当接していることを特徴とする請求項１乃至５のいずれかに記載のトレー。
【請求項７】
前記スカート部は、前記上フランジ部の先端部から下方に延びるとともに、前記上フランジ部の一方の側端部から他方の側端部にかけて連続して延在し、
前記上フランジ部の前記許容部は、前記上フランジ部の長手方向において前記一般部に挟まれるようにして設けられ、
前記突部は、前記上フランジ部の前記許容部から下方に延びる前記スカート部から外方に突出して設けられ、
前記上フランジ部の前記一般部から下方に延びる前記スカート部の外面は略平坦面とされ、
前記突部の先端部は、前記上フランジ部の前記一般部から下方に延びる前記スカート部の外面と面一、又は、当該外面よりもトレーの内周側に位置することを特徴とする請求項１乃至６のいずれかに記載のトレー。
【発明の詳細な説明】
【技術分野】
【０００１】
本発明は、物品の搬送等に使用され、物品を載置可能に構成されてなるトレーに関するものである。
【背景技術】
【０００２】
従来、空港等で荷物を荷物検査装置によって検査する際に、荷物をトレーに載せて荷物検査装置を通過させることが知られている。また、荷物検査装置は、Ｘ線等を用いて検査を行うため、荷物検査装置の入口、及び、出口には、Ｘ線等を遮断する短冊状のカーテン（鉛含有素材のカーテン等）が設けられている（例えば、特許文献１参照。）。
【先行技術文献】
【特許文献】
【０００３】
【特許文献１】特許第５４０４９４８号公報
【発明の概要】
【発明が解決しようとする課題】
【０００４】
しかしながら、トレーに載せた荷物を荷物検査装置の入口、及び、出口に通過させる際に、荷物検査装置の入口、及び、出口に設けられたカーテンがトレーに載せた荷物に接触してしまい、荷物が汚れる等の不具合を招くことが懸念される。
【０００５】
本発明は、上記例示した問題点等を解決するためになされたものであって、その目的は、収容された物品の保護を比較的簡易に図ることができるトレーを提供することにある。
【課題を解決するための手段】
【０００６】
以下、上記課題等を解決するのに適した各手段につき項分けして説明する。なお、必要に応じて対応する手段に特有の作用効果等を付記する。
【０００７】
手段１．略矩形板状の底壁部と、前記底壁部の各側辺部から上方に延びる側壁部と、前記側壁部の上辺部から外方に延びる上フランジ部とを備え、上方に開口するトレーにおいて、
トレー同士をトレーの開口側を向かい合せにして上下に重ねた場合に、トレー同士の間に隙間を形成することなく、トレー同士を嵌合可能とする嵌合手段を備え、
前記側壁部のうち少なくとも相対する一対の前記側壁部に対応して、当該側壁部から延びる前記上フランジ部は、一般部と、前記一般部よりも前記側壁部からの延出長が短く構成される許容部とを備え、
前記上フランジ部のうち少なくとも前記許容部から下方に延びるスカート部と、
前記上フランジ部の上面よりも下方位置において、前記スカート部から外方に突出する突部とを備えていることを特徴とするトレー。
【０００８】
手段１によれば、物品を載置したトレ―に対し、同じトレーをもう一つ用意して向かい合わせで重ねる（被せる）ことで、当該上下一対のトレーによって物品を接触不可能に収容することができる。従って、例えば、荷物を荷物検査装置に通す際に荷物を載せる容器として本手段１のトレーを使用することで、荷物検査装置の入口及び出口に設けられたカーテンを通過させる際に、カーテンが荷物に接触して荷物に悪影響を及ぼしてしまう（汚れたり、損傷したりする等）といった事態を回避することができる。また、向かい合わせで上下に重ねられたトレー同士は嵌合状態とされていることから、トレーがカーテンを通過する際に、上側のトレーがカーテンに押圧されて下側のトレーから脱落するといった事態を防止することができる。さらに、同じトレーを２つ用意して、向かい合わせで重ねるだけで、収容された物品の保護を図ることができることから、トレーに載せた物品を保護する状態としたり、保護状態を解除して物品を取出したりする作業をスピーディーに行うことができる。
【０００９】
また、トレーには、上フランジ部の上面よりも下方位置においてスカート部から外方に突出する突部が設けられており、トレー同士を向かい合わせで上下に重ねた場合には、上側のトレーの突部と、下側のトレーの突部との間に隙間が形成されることになる。このため、上下に向かい合わせで重ねられたトレーのうち、開口側が下向きとされている上側のトレーを取外す際に、上側のトレーの突部の下側に比較的容易に指を掛けることができ、比較的スムースに上側のトレーを持ち上げることができる。従って、上側のトレーを取外して、下側のトレーに収容されている物品を取出す際の作業性の向上を図ることができる。加えて、許容部に対応する範囲のスカート部から外方に突出する突部に関しては、トレーの内外周方向において、一般部の先端部よりもトレーの外周側に突出させないように構成することができる。この場合、突部が単独で別の部材と衝突する等の事態を抑制することができ、突部の損傷等の抑制を図ることができる。
【００１０】
手段２．下側のトレーの前記側壁部の内面と、上側のトレーの前記側壁部の外面とを対向させるようにして、トレー同士を上下に重ねることが可能に構成され、
前記スカート部は、スカート一般部と、前記スカート一般部よりも前記上フランジ部からの延出長が短く構成されるスカート許容部とを備えていることを特徴とする手段１に記載のトレー。
【００１１】
手段２によれば、スカート部にスカート許容部を設けることによって、例えば、下側のトレーの内側に上側のトレーを比較的深く挿入させるようにして、トレーを開口側が上向きとなる姿勢で積み重ねる（ネスティングする）場合に、上側のトレーのスカート部（スカート許容部）と、下側のトレーの上フランジ部との間に隙間を形成することができる。従って、かかる隙間に指先を挿入して、上側のトレーのスカート部の下辺部、及び、スカート部の裏面側に指を掛けて、上側のトレーを持ち上げることができる。結果として、ネスティングされている複数のトレーのなかから幾つかを持ち上げる際の作業性の向上、及び、トレーをネスティングする際の安全性の向上等を図ることができる。
【００１２】
尚、「前記突部は、前記スカート許容部の下辺部から外方に突出して設けられていること」としてもよい。この場合、スカート許容部の下辺部に指を掛けてトレーを持ち上げる際に、突部にも指を掛けることができ、指に当たる接触面積が増える等して、持ち上げ易くすることができる。
【００１３】
手段３．前記スカート許容部のうち前記スカート一般部との連接部位は、前記上フランジ部からの延出長が徐々に変化しているスカート徐変部となっており、
前記突部は、前記スカート徐変部を含む前記スカート許容部の下辺部全体に沿って設けられていることを特徴とする手段２に記載のトレー。
【００１４】
手段３によれば、スカート許容部と、スカート一般部との連接部位や、突部の強度を高め、耐久性の向上等を図ることができる。また、スカート徐変部の存在により、スカート部の下辺部や突部に指を掛けてトレーを持ち上げる作業に際して、指を掛ける好適な位置を比較的スムースに把握することができる。
【００１５】
尚、「前記許容部のうち前記一般部との連接部位は、前記側壁部からの延出長が徐々に変化している徐変部となっており、前記突部は、前記スカート部のうち前記徐変部を含む前記許容部の先端部から下方に延びる部位の下辺部全体に沿って、前記スカート部から外方に突出していること」としてもよい。この場合、許容部と、一般部との連結部や、突部の強度を高めるとともに、徐変部の先端部から下方に延びるスカート部の裏面側に指を掛け易くなる（スカート部のうち徐変部から下方に延びる部位は、許容部のその他の部位から下方に延びる部位よりも側壁部から外方に離間しており、裏面側に指を掛け易い）。従って、突部の下面に指を掛けてトレーを持ち上げる際に、スカート部の裏面にも比較的スムースに指を掛けることができ、持ち易さの向上を図ることができる。また、「前記スカート許容部は、前記スカート部のうち前記許容部から下方に延びる部位であって、前記スカート徐変部は、前記スカート部のうち前記徐変部から下方に延びる部位であること（側壁部の横幅方向において、許容部と、スカート許容部とが同じ範囲に設けられている）」としてもよい。この場合、スカート部の下辺部や突部に指を掛けてトレーを持ち上げる作業に際して、指を掛ける好適な位置を比較的スムースに把握することができるといった作用効果がより一層奏される。
【００１６】
手段４．前記嵌合手段は、前記上フランジ部においてトレーの所定の隅部に対応して設けられた嵌合凸部と、トレー同士を向かい合わせで重ねた場合に、前記嵌合凸部を挿入可能な嵌合凹部とを備え、
少なくとも前記嵌合凸部、及び、前記嵌合凹部が設けられた範囲の前記上フランジ部と、前記スカート部との連結部において、面取り部が設けられていることを特徴とする手段１乃至３のいずれかに記載のトレー。
【００１７】
例えば、一対のトレーを上下向かい合わせにして重ねることでトレーに収容された物品の保護を図る場合において、収容する物品が比較的大きい場合には、上側のトレーが浮いてしまう場合がある。この場合、上下一対のトレーの間に隙間が形成され、荷物検査装置を通過させる際に、荷物検査装置のカーテンが、前記隙間を介して、トレーに収容されている物品に接触してしまうことが懸念される。
【００１８】
この点、トレーに収容した荷物を荷物検査装置に通過させる際に、上側のトレーのうち、トレーの進行方向先頭側の上フランジ部の一辺を、下側のトレーの上フランジ部に当接させるようにして、上側のトレーを斜めに設置することが考えられる。この場合、トレーの進行方向先頭側において、上下のトレーの間に隙間が形成されることを回避することができ、荷物検査装置のカーテンが荷物に接触するといった事態を防止することができる。
【００１９】
ところで、上記のように、下側のトレーに対し、上側のトレーを傾けて設置する場合には、上下一対のトレーのうち互いに当接している進行方向先頭側の上フランジ部に設けられた嵌合凸部と嵌合凹部とが嵌合状態を維持する必要がある。しかしながら、嵌合凸部及び嵌合凹部が、上フランジ部の先端部よりもトレーの内周側に設けられる場合、上側のトレーを傾けた姿勢で設置する場合に、前記進行方向先頭側の上フランジ部のうち、嵌合凸部及び嵌合凹部よりも外方（トレーの外周側）に位置する部位同士が当接（干渉）して、嵌合凸部の嵌合凹部への挿入長（掛かり代）が短くなってしまうことが懸念される。
【００２０】
この点、手段４によれば、少なくとも嵌合凸部、及び、嵌合凹部が設けられた範囲の上フランジ部と、スカート部との連結部において、面取り部が設けられている。このため、上側のトレーを傾けた姿勢で設置する場合に、上下一対のトレーのうち進行方向先頭側の上フランジ部に関して、嵌合凸部と、嵌合凹部とを嵌合させるとともに、上フランジ部のうち嵌合凸部及び嵌合凹部よりもトレーの外周側に位置する部位同士を、極力、嵌合凸部及び嵌合凹部に近い位置で当接させることができる。従って、下側のトレーに対し上側のトレーを傾けて設置しても、上下に当接する上フランジ部において、嵌合凸部の嵌合凹部への掛かり代を十分に確保して、嵌合凸部と嵌合凹部との嵌合状態を安定させることができ、上側のトレーが下側のトレーから脱落するといった事態を防止することができる。
【００２１】
手段５．前記嵌合凸部は、トレーの隅部のうち所定の隅部と、当該所定の隅部の対角に位置する隅部とに対応して設けられ、
前記嵌合凹部は、前記上フランジ部において前記嵌合凸部が設けられていないトレーの隅部に対応して設けられ、
前記嵌合凸部は、所定の前記側壁部の上辺部から外方に延びる前記上フランジ部と、当該上フランジ部に対して略直交して連結される前記上フランジ部とに跨るようにして平面視略Ｌ字状をなし、前記嵌合凸部の両端部には傾斜部が設けられていることを特徴とする手段４に記載のトレー。
【００２２】
手段５によれば、一対のトレー同士を向かい合せて上下に重ねる場合に、隅部の位置を合わせるだけで、嵌合凸部及び嵌合凹部の位置を厳密に気にしなくても、嵌合凸部と嵌合凹部とを合致させることができる（上下一対のトレーの嵌合凸部と嵌合凸部とが合致し、嵌合凹部と嵌合凹部とが合致してしまうといった事態が回避される）。従って、一対のトレー同士を向かい合せて上下に重ねる際の作業性の向上等を図ることができる。
【００２３】
また、一対のトレー同士を向かい合せて上下に重ねる際に、下側のトレーに対して上側のトレーが嵌合位置からずれて載せられた場合、上側のトレーを、下側のトレーの上フランジ部上面に滑らせるようにして、比較的スムースに嵌合位置まで変位させることができる。特に、上記手段４のように、上フランジ部と、スカート部との連結部において面取り部を設けることにより、下側のトレーに対して嵌合位置からずれて載せられた上側のトレーをスライドさせて比較的容易に嵌合位置まで変位させるといった作用効果がより一層奏されることとなる。
【００２４】
手段６．物品を収容した下側のトレーに対し、上側のトレーを向かい合せ、かつ、傾けた姿勢で設置し、前記上フランジ部の所定の一辺同士を当接させる場合に、当該上フランジ部の所定の一辺の長手方向全体において、上側のトレーと、下側のトレーとが略当接していることを特徴とする手段１乃至５のいずれかに記載のトレー。
【００２５】
手段６によれば、トレーに収容した荷物を荷物検査装置に通過させる場合に、荷物が大きく、一対のトレーを上下向かい合せで重ねると、トレー間に隙間が形成されてしまうような場合であっても、上側のトレーを傾けた姿勢とし、かつ、トレーの進行方向先頭側の上フランジ部の一辺同士を当接させることで、トレーの進行方向先頭側において、上下のトレーの間に荷物検査装置のカーテンが入り込めるような隙間が形成されることをより確実に回避することができる。従って、荷物検査装置のカーテンが荷物に接触することを防止するといった作用効果がより一層奏される。
【００２６】
手段７．前記スカート部は、前記上フランジ部の先端部から下方に延びるとともに、前記上フランジ部の一方の側端部から他方の側端部にかけて連続して延在し、
前記上フランジ部の前記許容部は、前記上フランジ部の長手方向において前記一般部に挟まれるようにして設けられ、
前記突部は、前記上フランジ部の前記許容部から下方に延びる前記スカート部から外方に突出して設けられ、
前記上フランジ部の前記一般部から下方に延びる前記スカート部の外面は略平坦面とされ、
前記突部の先端部は、前記上フランジ部の前記一般部から下方に延びる前記スカート部の外面と面一、又は、当該外面よりもトレーの内周側に位置することを特徴とする手段１乃至６のいずれかに記載のトレー。
【００２７】
例えば、上フランジ部の一般部から下方に延びるスカート部が設けられなかったり、当該スカート部の外面よりも突部が外方に突出していたりする場合に、横並びに設置したトレー同士が接触する場合には、突部同士が当接したり、上フランジ部同士が当接したりすることが懸念される。特に、比較的勢いよくトレー同士が接触した場合には、一方のトレーが他方のトレーに乗り上げてしまうおそれがある。
【００２８】
この点、手段７によれば、横並びに設置したトレー同士が接触する場合に、上フランジ部の一般部から下方に延びるスカート部の略平坦な外面同士を当接させることができる。このため、横並びに設置したトレー同士が接触する場合に、一方のトレーが他方のトレーに乗り上げてしまうといった事態を防止することができる。また、突部の保護を図ることができ、耐久性の向上等を図ることができる。
【図面の簡単な説明】
【００２９】
【図１】トレーの上面側を示す斜視図である。
【図２】トレーの上面側を示す部分拡大斜視図である。
【図３】トレーの下面側を示す斜視図である。
【図４】トレーの平面図である。
【図５】トレー同士を向かい合わせで重ねた状態を示す斜視図である。
【図６】ネスティングしたトレーの上側にトレーを向かい合わせで重ねた状態を示す斜視図である。
【図７】図５のＡ−Ａ線部分拡大断面図である。
【図８】図５のＡ−Ａ線断面を含む部分拡大斜視図である。
【図９】図５のＢ−Ｂ線断面図である。
【図１０】トレーの上側にトレーを向かい合わせでずれた位置に載せた状態を示す斜視図である。
【図１１】物品を収容したトレーの上側にトレーを向かい合わせで傾けて設置した状態を示す斜視図である。
【図１２】図１１に示す状態のトレー等を示す断面図である。
【図１３】面取り部が設けられない場合の態様例を示す断面図である。
【発明を実施するための形態】
【００３０】
以下に、一実施形態について図面を参照して説明する。図１等に示すように、トレー１は、略矩形板状の底壁部２と、底壁部２の相対する一対の長側辺部から上方に延びる長辺側側壁部３と、底壁部２の相対する一対の短側辺部から上方に延びる短辺側側壁部４と、長辺側側壁部３、及び、短辺側側壁部４の上辺部から外方に延びる上フランジ部５とを備え、上方に開口している。また、詳しくは後述するが、本実施形態のトレー１は、トレー１同士をトレー１の開口側を向かい合せにして上下に重ねた場合に、トレー１同士の間に隙間を形成することなく、トレー１同士を嵌合可能とする嵌合手段としての嵌合構造を備えている。
【００３１】
つまり、本実施形態におけるトレー１は、例えば、空港等で手荷物を荷物検査装置によって検査する際に手荷物を載せる容器として使用されることが想定されている。さらに、荷物検査装置の入口、及び、出口に設けられたＸ線等を遮断する短冊状のカーテン（鉛含有素材のカーテン等）が、トレー１に収容された手荷物に接触することを防止するべく、図５に示すように、手荷物を載せたトレー１に対し、同じトレー１をもう一つ用意して向かい合せにして重ねる（被せる）ことで、手荷物の保護を図ることができるように構成されている。尚、本実施形態のトレー１は、ポリプロピレンにより一体的に形成されている。
【００３２】
図１、図２、図４に示すように、上フランジ部５は、一般部６と、一般部６よりも側壁部３、４からの延出長が短く構成される許容部７とを備えている。本実施形態では、許容部７は、各側壁部３、４の横幅方向中央部を含む範囲に設けられ、一般部６は、許容部７の両側方に位置するようにして設けられている。つまり、許容部７は、上フランジ部５の長手方向において一般部６に挟まれるようにして設けられている。さらに、許容部７のうち一般部６との連接部位は、側壁部３、４からの延出長が徐々に変化している徐変部８となっている。
【００３３】
また、図１、図２に示すように、トレー１は、上フランジ部５の先端部から下方に延びるスカート部９を備えている。本実施形態では、スカート部９が、トレー１の全周にわたり、連続して延在するようにして設けられている。
【００３４】
さらに、スカート部９は、スカート一般部１０と、スカート一般部１０よりも上フランジ部５からの延出長が短く構成されるスカート許容部１１とを備えている。本実施形態では、対応する側壁部３、４の横幅方向において、許容部７と、スカート許容部１１とが同じ範囲に設けられており、スカート許容部１１は、許容部７の先端部から下方に延びている。尚、スカート一般部１０の上フランジ部５からの延出長は、側壁部３、４の高さよりも短くなっている。
【００３５】
加えて、スカート許容部１１のうちスカート一般部１０との連接部位は、上フランジ部５からの延出長が徐々に変化しているスカート徐変部１２となっている。本実施形態では、徐変部８と、スカート徐変部１２とに関しても、対応する側壁部３、４の横幅方向において同じ範囲に設けられており、スカート徐変部１２は、徐変部８の先端部から下方に延びている。
【００３６】
また、図１、図９等に示すように、スカート一般部１０の外面は、略平坦面として構成されているとともに、トレー１を水平面に設置した場合に、スカート一般部１０の外面が略鉛直方向に延びるように構成されている。加えて、図３等に示すように、スカート部９の裏面と、上フランジ部５の下面と、側壁部３、４の外面との間を連結する補強リブ１３が複数箇所に設けられている。
【００３７】
さらに、図２、図７、図８等に示すように、スカート許容部１１の下端部から外方に突出する突部１４が設けられている。本実施形態の突部１４は、スカート徐変部１２を含むスカート許容部１１の下辺部全体に沿って設けられている。また、図７等に示すように、突部１４の先端部は、スカート一般部１０の外面と略面一となっており、突部１４が、スカート一般部１０よりも外方に突出しないように構成されている。
【００３８】
また、図１、図２等に示すように、トレー１同士を嵌合させる嵌合構造として、上フランジ部５においてトレー１の隅部のうち所定の隅部と、当該所定の隅部の対角に位置する隅部とに対応して設けられた嵌合凸部１５と、上フランジ部５において嵌合凸部１５が設けられていないトレー１の隅部に対応して設けられ、トレー１同士を向かい合わせで重ねた場合に、嵌合凸部１５を挿入可能な嵌合凹部１７とを備えている。本実施形態のトレー１は、平面視（及び下面視）で点対称形状として構成されており、さらに、嵌合凸部１５、及び、嵌合凹部１７を除く構成に関しては、平面視（及び側面視）で線対称形状にもなっている。
【００３９】
嵌合凸部１５は、長辺側側壁部３の上辺部から外方に延びる上フランジ部５と、短辺側側壁部４の上辺部から外方に延びる上フランジ部５とに跨るようにして平面視略Ｌ字状をなしている。本実施形態の嵌合凸部１５は、上フランジ部５の一般部６と、一般部６に連続する徐変部８の一部とにかかる範囲に設けられている。さらに、嵌合凸部１５の両端部には、略水平方向に延びる上フランジ部５の上面と、略水平方向に延びる嵌合凸部１５の上辺部とを連続させる傾斜部１６が設けられている。
【００４０】
嵌合凹部１７は、嵌合凸部１５に対応して平面視略Ｌ字状をなしている。さらに、図４、図９等に示すように、嵌合凹部１７は、側壁部３、４、及び、スカート部９から離間して設けられている。つまり、嵌合凹部１７よりもトレー１の内周側、及び、嵌合凹部１７よりもトレー１の外周側のどちらにも、上フランジ部５が存在するように構成されている。
【００４１】
加えて、図１、図７、図９等に示すように、本実施形態では、上フランジ部５と、スカート部９との連結部を湾曲形状（Ｒ形状）とすることで構成された面取り部１８が、トレー１の全周にわたり設けられている。尚、本実施形態では、底壁部２と、側壁部３、４との連結部、長辺側側壁部３と、短辺側側壁部４との連結部、各側壁部３、４と、上フランジ部との連結部、及び、トレー１の各隅部におけるスカート部９同士（上フランジ部５の先端縁同士）の連結部についても、Ｒ形状に構成されている。
【００４２】
また、長辺側側壁部３、及び、短辺側側壁部４は、上方に向けてトレー１の外周側に傾斜して延びており、図６〜図８（特に、下側の２つのトレー１）に示すように、下側のトレー１の側壁部３、４の内面と、上側のトレー１の側壁部３、４の外面とを対向させるようにして、トレー１同士を開口側が上向きとなる姿勢で上下に重ねること（ネスティング）ができるように構成されている。本実施形態では、上側のトレー１のスカート一般部１０に対応して設けられた補強リブ１３の下辺部が、下側のトレー１の上フランジ部５の上面に当接するまで、上側のトレー１を下側のトレー１の内側に挿入可能となっている。尚、図９（特に、右側）に示すように、ネスティングに際して、下側のトレー１の嵌合凸部１５と対応する部位に設けられる補強リブ１３（上フランジ部５のうち嵌合凸部１５が設けられた部位の裏面側に設けられる補強リブ１３）に関しては、下端部の位置がスカート一般部１０の下端部よりも上方に位置しており、ネスティング時に嵌合凸部１５との干渉が避けられるようになっている。
【００４３】
また、図７、図９等に示すように、トレー１同士を向かい合せで上下に重ねた場合、上側のトレー１の上フランジ部５と、下側のトレー１の上フランジ部５とが当接して支持され、上側のトレー１の嵌合凸部１５、及び、嵌合凹部１７が、下側のトレー１の対応する嵌合凹部１７、及び、嵌合凸部１５と嵌合状態（嵌合凸部１５が嵌合凹部１７に挿入された状態）とされるようになっている。さらに、上記のように、嵌合凹部１７（及び嵌合凸部１５）が設けられた範囲にも、嵌合凹部１７（及び嵌合凸部１５）よりもトレー１の外周側、及び、トレー１の内周側において上フランジ部５が存在することから、トレー１の全周にわたり、上下一対のトレー１の上フランジ部５同士が当接し、トレー１同士の間に隙間が形成されないように構成されている。
【００４４】
さらに、トレー１同士を向かい合わせで上下に重ねる作業に際し、図１０に示すように、下側のトレー１に対し、上側のトレー１が、嵌合凸部１５と、嵌合凹部１７とが嵌合する嵌合位置からずれた位置に載せられた場合、上側のトレー１を、下側のトレー１の上フランジ部５上面に滑らせるようにして、上下のトレー１の隅部の位置を合わせる。このとき、上下一対のトレー１のうち一方のトレー１の嵌合凸部１５に対して、他方のトレー１のスカート部９（本例では、スカート部９と上フランジ部５との連結部に設けられた面取り部１８）が当接することとなるが、嵌合凸部１５の両端部には、傾斜部１６が設けられているため、嵌合凸部１５が、嵌合凹部１７周辺部の面取り部１８を相対的に乗り越えて、嵌合凹部１７に挿入されるまでの相対変位が比較的スムースに行われるようになっている。
【００４５】
また、トレー１に収容する物品（手荷物等）の高さが、トレー１の深さの２倍以上の場合には、物品を収容した下側のトレー１に対し、上側のトレー１を下側のトレー１と平行にして被せようとしても、上側のトレー１が浮いた状態となり、上下のトレー１の間に隙間が形成される。そこで、図１１、図１２に示すように、トレー１に収容する物品１９が比較的大きなものである場合には、上下一対のトレー１の上フランジ部５の一辺同士を当接状態とし、当該上フランジ部５の一辺同士の嵌合凸部１５と嵌合凹部１７とを嵌合状態としつつ、上側のトレー１を傾けた姿勢とする。つまり、荷物検査装置を通過させる際に、トレー１の進行方向先頭側の上フランジ部５同士を当接させることとすれば、荷物検査装置の入口、及び、出口に設けられるカーテンと、トレー１に収容された物品１９との接触が回避される。
【００４６】
尚、図１２に示すように、下側のトレー１に対して上側のトレー１が傾いた姿勢で設置された状態では、上下に当接することとしている上フランジ部５の一辺に関し、面取り部１８同士が当接するようになっている。また、上記のように、面取り部１８は、トレー１の全周にわたって設けられており、本実施形態では、上側のトレー１が傾いた姿勢で設置された状態において、上下に当接することとしている上フランジ部５の一辺に関し、一般部６に対応して面取り部１８同士が当接し、許容部７に対応して面取り部１８同士が近接するようになっている。
【００４７】
以上詳述したように、本実施形態によれば、物品を載置したトレー１に対し、同じトレー１をもう一つ用意して向かい合わせで重ねる（被せる）ことで、当該上下一対のトレー１によって物品を接触不可能に収容することができる。従って、荷物を荷物検査装置に通す際に荷物を載せる容器としてトレー１を使用することで、荷物検査装置の入口及び出口に設けられたカーテンを通過させる際に、カーテンが荷物に接触して荷物に悪影響を及ぼしてしまう（汚れたり、損傷したりする等）といった事態を回避することができる。また、向かい合わせで上下に重ねられたトレー１同士は嵌合状態とされていることから、トレー１がカーテンを通過する際に、上側のトレー１がカーテンに押圧されて下側のトレー１から脱落するといった事態を防止することができる。さらに、同じトレー１を２つ用意して、向かい合わせで重ねるだけで、収容された物品の保護を図ることができることから、トレー１に載せた物品を保護する状態としたり、保護状態を解除して物品を取出したりする作業をスピーディーに行うことができる。従って、荷物検査装置を用いた荷物検査を、荷物の保護を図りつつ、スムースに行うことができる。
【００４８】
また、トレー１には、スカート部９（スカート許容部１１）の下端部から外方に突出する突部１４が設けられており、トレー１同士を向かい合わせで上下に重ねた状態において、上側のトレー１の突部１４と、下側のトレー１の突部１４との間に隙間を形成することができる。このため、上下に向かい合わせで重ねられたトレー１のうち、開口側が下向きとされている上側のトレー１を取外す際に、上側のトレー１の突部１４の下側に比較的容易に指を掛けることができ、比較的スムースに上側のトレー１を持ち上げることができる。従って、上側のトレー１を取外して、下側のトレー１に収容されている物品を取出す際の作業性の向上を図ることができる。
【００４９】
さらに、スカート部９は、スカート一般部１０よりも上フランジ部５からの延出長が短く構成されるスカート許容部１１を備えている。つまり、本実施形態では、開口側が上向きとなる姿勢でトレー１をネスティングした場合に、上側のトレー１のスカート一般部１０の裏面側に設けられた補強リブ１３が、下側のトレーの上フランジ部５の上面に当接するようになっている。当該構成において、スカート部９にスカート許容部１１が設けられていることによって、トレー１のネスティング状態において、上側のトレー１のスカート許容部１１と、下側のトレー１の上フランジ部５との間に隙間を形成することができる。従って、かかる隙間に指先を挿入して、上側のトレー１のスカート部９（スカート許容部１１）の下辺部、及び、スカート部９の裏面側に指を掛けて、上側のトレー１を持ち上げることができる。結果として、ネスティングされている複数のトレー１のなかから幾つかを持ち上げる際の作業性の向上、及び、トレー１をネスティングする際の安全性の向上等を図ることができる。
【００５０】
また、突部１４は、スカート許容部１１の下辺部から外方に突出して設けられている。このため、スカート許容部１１の下辺部に指を掛けてトレー１を持ち上げる際に、突部１４にも指を掛けることができ、指に当たる接触面積が増える等して、持ち上げ易くすることができる。尚、開口側を下向きにしてトレー１をネスティングすることも可能であり、この場合、下側のトレー１のスカート部９（スカート許容部１１）と、上側のトレー１の上フランジ部５との間の隙間に指先を挿入し、上側のトレー１の上フランジ部５に指を掛けて、上側のトレー１を持ち上げることとなる。
【００５１】
さらに、スカート許容部１１のうちスカート一般部１０との連接部位は、上フランジ部５からの延出長が徐々に変化しているスカート徐変部１２となっており、突部１４は、スカート徐変部１２を含むスカート許容部１１の下辺部全体に沿って設けられている。このため、スカート許容部１１と、スカート一般部１０との連接部位や、突部１４の強度を高め、耐久性の向上等を図ることができる。また、スカート徐変部１２の存在により、スカート部９の下辺部や突部１４に指を掛けてトレー１を持ち上げる作業に際して、指を掛ける好適な位置を比較的スムースに把握することができる。
【００５２】
加えて、許容部７のうち一般部６との連接部位は、側壁部３、４からの延出長が徐々に変化している徐変部８となっており、また、各側壁部３、４の横幅方向において、徐変部８と、スカート徐変部１２とが同じ範囲に設けられている（スカート徐変部１２は徐変部８の先端部から下方に延びている）。徐変部８の存在により、許容部７と、一般部６との連結部や、突部１４の強度を高めるとともに、徐変部８の先端部から下方に延びるスカート部９（スカート徐変部１２）の裏面側に指を掛け易くなる（スカート徐変部１２は、スカート許容部１１のその他の部位よりも側壁部３、４から外方に離間しており、裏面側に指を掛け易い）。従って、突部１４の下面に指を掛けてトレー１を持ち上げる際に、スカート部９の裏面にも比較的スムースに指を掛けることができ、持ち易さの向上を図ることができる。加えて、スカート部９の下辺部や突部１４に指を掛けてトレー１を持ち上げる際に、指を掛ける好適な位置を探り易くするといった作用効果がより一層奏される。
【００５３】
また、例えば、図１１に示すように、トレー１に収容する物品１９が比較的大きい場合には、トレー１に収容した物品１９を荷物検査装置に通過させる際に、上側のトレー１のうち、トレー１の進行方向先頭側の上フランジ部５の一辺を、下側のトレー１の上フランジ部５に当接させるようにして、上側のトレー１を斜めに設置する。この場合、トレー１の進行方向先頭側において、上下のトレー１の間に隙間が形成されることを回避することができ、荷物検査装置のカーテンが物品１９に接触するといった事態を防止することができる。
【００５４】
ところで、下側のトレー１に対し、上側のトレー１を傾けて設置する場合には、上下一対のトレー１のうち互いに当接している進行方向先頭側の上フランジ部５に設けられた嵌合凸部１５と嵌合凹部１７とが嵌合状態を維持する必要がある。しかしながら、嵌合凸部１５及び嵌合凹部１７が、上フランジ部５の先端部よりもトレー１の内周側に設けられる場合、上側のトレー１を傾けた姿勢で設置する場合に、図１３に示すように、進行方向先頭側の上フランジ部５のうち、嵌合凸部１５及び嵌合凹部１７よりも外方（トレー１の外周側）に位置する部位同士が当接（干渉）して、嵌合凸部１５の嵌合凹部１７への挿入長（掛かり代）が短くなってしまうことが懸念される。
【００５５】
この点、本実施形態によれば、上フランジ部５と、スカート部９との連結部において、断面Ｒ形状の面取り部１８が設けられている。このため、図１２に示すように、下側のトレー１に対して上側のトレー１を傾けた姿勢で設置する場合に、上下一対のトレー１のうち進行方向先頭側の上フランジ部５に関して、嵌合凸部１５と、嵌合凹部１７とを嵌合させるとともに、上フランジ部５のうち嵌合凸部１５及び嵌合凹部１７よりもトレー１の外周側に位置する部位同士を、極力、嵌合凸部１５及び嵌合凹部１７に近い位置で当接させることができる。従って、下側のトレー１に対し上側のトレー１を傾けて設置しても、上下に当接する上フランジ部５において、嵌合凸部１５の嵌合凹部１７への掛かり代を十分に確保して、嵌合凸部１５と嵌合凹部１７との嵌合状態を安定させることができ、上側のトレー１が下側のトレー１から脱落するといった事態を防止することができる。尚、図１３は、面取り部１８が設けられない場合の態様例を示す図であるが、便宜上、本実施形態と同じ図面番号を付している。
【００５６】
加えて、嵌合凸部１５は、上フランジ部５において、トレー１の隅部のうち所定の隅部と、当該所定の隅部の対角に位置する隅部とに対応して設けられ、嵌合凹部１７は、上フランジ部５において、嵌合凸部１５が設けられていないトレー１の隅部に対応して設けられている。このため、一対のトレー１同士を向かい合せて上下に重ねる場合に、隅部の位置を合わせるだけで、嵌合凸部１５及び嵌合凹部１７の位置を厳密に気にしなくても、嵌合凸部１５と嵌合凹部１７とを合致させることができる（上下一対のトレー１の嵌合凸部１５と嵌合凸部１５とが合致し、嵌合凹部１７と嵌合凹部１７とが合致してしまうといった事態が回避される）。従って、一対のトレー１同士を向かい合せて上下に重ねる際の作業性の向上等を図ることができる。
【００５７】
さらに、嵌合凸部１５は、長辺側側壁部３の上辺部から外方に延びる上フランジ部５と、短辺側側壁部４の上辺部から外方に延びる上フランジ部５とに跨るようにして平面視略Ｌ字状をなし、嵌合凸部１５の両端部には傾斜部１６が設けられている。このため、一対のトレー１同士を向かい合せて上下に重ねる際に、下側のトレー１に対して上側のトレー１が嵌合位置からずれて載せられた場合、上側のトレー１を、下側のトレー１の上フランジ部５上面に滑らせるようにして、比較的スムースに嵌合位置まで変位させることができる。特に、上フランジ部５と、スカート部９との連結部において面取り部１８が設けられていることにより、下側のトレー１に対して嵌合位置からずれて載せられた上側のトレー１をスライドさせて比較的容易に嵌合位置まで変位させるといった作用効果がより一層奏されることとなる。
【００５８】
加えて、物品１９を収容した下側のトレー１に対し、上側のトレー１を向かい合せ、かつ、傾けた姿勢で設置し、上フランジ部５の一辺同士を当接させる場合に、当該上フランジ部５の一辺の長手方向全体において、上下一対のトレー１の面取り部１８同士が略当接するように構成されている。このため、トレー１に収容した物品１９を荷物検査装置に通過させる場合に、物品１９が大きく、一対のトレー１を上下向かい合せで重ねると、トレー１間に隙間が形成されてしまうような場合であっても、上側のトレー１を傾けた姿勢とし、かつ、トレー１の進行方向先頭側の上フランジ部５の一辺同士を当接させることで、トレー１の進行方向先頭側において、上下のトレー１の間に荷物検査装置のカーテンが入り込めるような隙間が形成されることをより確実に回避することができる。従って、荷物検査装置のカーテンが物品１９に接触することを防止するといった作用効果がより一層奏される。
【００５９】
また、スカート部９は、上フランジ部５の先端部から下方に延びるとともに、上フランジ部５の一方の側端部から他方の側端部にかけて連続して延在している。加えて、上フランジ部５の許容部７は、上フランジ部５の長手方向において一般部６に挟まれるようにして設けられ、突部１４は、上フランジ部５の許容部７から下方に延びるスカート許容部１１の下端部から外方に突出して設けられている。さらに、突部１４の先端部は、上フランジ部５の一般部６から下方に延びるスカート一般部１０の外面と略面一となっている。従って、突部１４は、両側方に位置するスカート一般部１０に保護されるような格好となる。結果として、突部１４の損傷や変形等を抑制することができ、耐久性の向上を図ることができる。
【００６０】
また、例えば、突部１４がスカート一般部１０よりも外方に突出する場合のように、横並びに設置されたトレー１同士が接触した場合に、突部１４同士が当接し、場合によっては、一方が他方に乗り上げてしまうといった事態を回避することができる。さらに、例えば、スカート一般部１０を省略した場合のように、横並びに設置されたトレー１同士が接触した場合に、上フランジ部５（一般部６）同士が当接し、場合によっては、一方が他方に乗り上げてしまうといった事態を回避することができる。特に、本実施形態のスカート一般部１０の外面は略平坦面とされ、略鉛直方向に延びている。従って、横並びに設置されたトレー１同士が接触した場合に、スカート一般部１０同士が当接し、一方が他方に乗り上げるといった事態をより確実に防止することができる。
【００６１】
尚、上記実施形態の記載内容に限定されず、例えば次のように実施してもよい。勿論、以下において例示しない他の応用例、変更例も当然可能である。
【００６２】
（ａ）上記実施形態では、長辺側側壁部３の上辺部から外方に延出する上フランジ部５、及び、短辺側側壁部４の上辺部から外方に延出する上フランジ部５の両方において、許容部７が設けられるように構成されているが、相対する一対の長辺側側壁部３、又は、相対する一対の短辺側側壁部４の一方に対応して許容部７が設けられていることとしてもよい。また、上記実施形態では、上フランジ部５に関し、許容部７の両側方に一般部６が配置されているが、一側方側の一般部６を省略してもよい。さらに、上記実施形態では、スカート部９において、上フランジ部５からの延出長の短いスカート許容部１１が設けられ、各側壁部３、４の横幅方向において、スカート許容部１１と、許容部７とが同じ範囲に設けられているが、スカート許容部１１（スカート徐変部１２）の形成範囲と、許容部７（徐変部８）の形成範囲とが一致していなくてもよいし、スカート部９全体を同じ延出長としてもよい。また、上記実施形態では、スカート部９がトレー１の全周に設けられているが、少なくとも許容部７に対応する部位に設けられていればよい。加えて、上フランジ部５の徐変部８や、スカート部９のスカート徐変部１２が存在しない構成とすることも可能である。
【００６３】
（ｂ）上記実施形態では、嵌合凸部１５、及び、嵌合凹部１７が、長辺側側壁部３の上辺部から外方に延びる上フランジ部５と、短辺側側壁部４の上辺部から外方に延びる上フランジ部５とに跨るようにして略Ｌ字状に構成されているが、特にかかる構成に限定されるものではない。例えば、長辺側側壁部３の上辺部から外方に延びる上フランジ部５、及び、短辺側側壁部４の上辺部から外方に延びる上フランジ部５のうち一方にのみ、嵌合凸部１５、及び、嵌合凹部１７が設けられることとしてもよい。
【００６４】
また、上記実施形態では、上フランジ部５の上面側において、嵌合凸部１５がトレー１の所定の隅部とその対角に位置する隅部とに対応して設けられているが、例えば、トレー１の所定の隅部と、その隣の隅部とに対応して嵌合凸部１５を設け、嵌合凸部１５が設けられていないトレー１の隅部に対応して嵌合凹部１７が設けられていることとしてもよい。但し、当該構成を採用する場合、上下一対のトレー１を向かい合わせで重ねる場合に、下側のトレー１の嵌合凸部１５及び嵌合凹部１７と、上側のトレー１の嵌合凹部１７及び嵌合凸部１５とが合致しているかを確認する必要があるため、嵌合凸部１５及び嵌合凹部１７の位置を厳密に気にすることなく重ねることができるように、一対の嵌合凸部１５、及び、一対の嵌合凹部１７をそれぞれ対角に配置することが望ましい。
【００６５】
さらに、嵌合凸部１５を、側壁部３、４、又は、スカート部９の一部を上フランジ部５の上方に延長させるような格好で設けたり、嵌合凹部１７を、側壁部３、４、又は、スカート部９の一部を凹形状とすることで構成したりすることとしてもよい。但し、トレー１同士を向い合せにして重ねた状態の安定化や、トレー１間の隙間をなくすといった観点からすると、嵌合凸部１５及び嵌合凹部１７よりもトレー１の内周側、及び、トレー１の外周側のどちらにも上フランジ部５が存在するように構成することが望ましい。
【００６６】
（ｃ）上記実施形態では、面取り部１８がトレー１の全周にわたって設けられているが、少なくとも嵌合凸部１５、及び、嵌合凹部１７が設けられた範囲の上フランジ部５と、スカート部９との連結部において設けられていればよい。但し、物品を収容した下側のトレー１に対し、向かい合せ、かつ、傾けた姿勢で上側のトレー１を設置し、上フランジ部５の一辺同士を当接させる場合、当該上フランジ部５の一辺の長手方向全体で隙間なく上下一対のトレー１同士を当接させることができるように、嵌合凸部１５、及び、嵌合凹部１７のうち少なくとも一方が設けられた上フランジ部５の一側部から他側部にかけて面取り部１８が設けられることが望ましい。
【００６７】
また、上記実施形態では、面取り部１８がＲ形状とされているが、特にこのような構成に限定されるものではなく、スカート部９の先端部と、上フランジ部５の上端部とを斜めに連結する連結部（傾斜面）によって面取り部が構成されることとしてもよい。
【００６８】
（ｄ）上記実施形態では、突部１４の先端部が、スカート一般部１０の外面と略面一とされているが、スカート一般部１０の外面よりもトレー１の内周側に位置していることとしてもよい。さらに、上記実施形態では、突部１４がスカート部９の下端部から外方に突出しているが、突部１４の形成位置については特に限定されるものではなく、上フランジ部５の上面よりも下方位置であればよい。また、上記実施形態では、スカート部９が上フランジ部５の先端部から下方に延出しているが、先端部近傍から下方に延出するように構成してもよい。
【００６９】
（ｅ）上記実施形態では、トレー１はポリプロピレンにより構成されているが、ポリエチレン、ＰＥＴ、ポリアミド等その他の樹脂材料により構成されることとしてもよい。
【符号の説明】
【００７０】
１…トレー、２…底壁部、３…長辺側側壁部、４…短辺側側壁部、５…上フランジ部、６…一般部、７…許容部、８…徐変部、９…スカート部、１０…スカート一般部、１１…スカート許容部、１２…スカート徐変部、１３…補強リブ、１４…突部、１５…嵌合凸部、１６…傾斜部、１７…嵌合凹部、１８…面取り部、１９…物品。
【図１】
2018131239.tif 000003
【図２】
2018131239.tif 000004
【図３】
2018131239.tif 000005
【図４】
2018131239.tif 000006
【図５】
2018131239.tif 000007
【図６】
2018131239.tif 000008
【図７】
2018131239.tif 000009
【図８】
2018131239.tif 000010
【図９】
2018131239.tif 000011
【図１０】
2018131239.tif 000012
【図１１】
2018131239.tif 000013
【図１２】
2018131239.tif 000014
【図１３】
2018131239.tif 000015